(57)【要約】【課題】各蓋板をいずれの端面を下にして起立させても同面を確実に乾燥でき、しかも蓋板を複数枚重ね合わせた場合に蓋板の対向面を確実に乾燥できる風呂蓋を提供する。【解決手段】浴槽上に複数枚並べて載置される蓋板２ａ、２ｂで構成した風呂蓋である。各蓋板２ａ、２ｂの全外周部に他部よりも肉厚で蓋板２ａ、２ｂの表裏両面から突出する膨大縁部８を形成する。隣り合う蓋板２ａ、２ｂのうち、一方の蓋板２ａの外周端面に蓋板２ａの全周に亘る突部９を形成する。他方の蓋板２ｂの外周端面に前記突部９に嵌合可能な凹部１０を蓋板２ｂの全周に亘って形成する。【選択図】図１
2008154882.tif 000002
【特許請求の範囲】
【請求項１】
浴槽上に複数枚並べて載置される蓋板で構成した風呂蓋において、各蓋板の全外周部に他部よりも肉厚で蓋板の表裏両面から突出する膨大縁部を形成し、隣り合う蓋板のうち、一方の蓋板の外周端面に蓋板の全周に亘る突部を形成し、他方の蓋板の外周端面に前記突部に嵌合可能な凹部を蓋板の全周に亘って形成して成ることを特徴とする風呂蓋。
【請求項２】
前記突部の外面を蓋板の外側に向かって突となる断面円弧状に形成すると共に、凹部の内面を蓋板の内側に向かって凹となる断面円弧状に形成し、突部の断面円弧状の外面と凹部の断面円弧状の内面を嵌合可能とすることを特徴とする請求項１に記載の風呂蓋。
【発明の詳細な説明】
【技術分野】
【０００１】
本発明は複数枚の蓋板で構成した風呂蓋に関する。
【背景技術】
【０００２】
従来、複数枚の蓋板で構成される風呂蓋には、例えば特許文献１に示すように蓋板の一端面の上半部に上突部を形成すると共に反対側の端面の下半部に下突部を形成し、浴槽に蓋をする場合に上突部と下突部を相じゃくりで接合できるようにしたものがあり、このものは上突部と下突部の接合により浴槽を確実に保温している。
【０００３】
ところで入浴後における蓋板は浴室の壁に立て掛ける等して浴室の床上に起立させた状態で乾燥されるが、上記蓋板の両側の端面は平坦な面であるため、この面を下にして蓋板を起立させた場合には同面が床の上面に密接し、この部分が乾燥せずカビ等が発生する恐れがある。またこの蓋板の上下の両面は平坦な面となっているため、蓋板を複数枚重ね合わせた状態で起立させた場合には、蓋板の対向面同士が接してこの部分も乾き難くなる。
【特許文献１】特開２００３−２２５１７３号公報
【発明の開示】
【発明が解決しようとする課題】
【０００４】
本発明は上記従来の問題点に鑑みて発明したものであって、浴槽を確実に保温でき、尚且つ各蓋板をいずれの端面を下にして起立させても同面を確実に乾燥でき、しかも蓋板を複数枚重ね合わせて起立させた場合に蓋板の対向面を確実に乾燥できる風呂蓋を提供することを課題とするものである。
【課題を解決するための手段】
【０００５】
上記課題を解決するために本発明に係る風呂蓋は、浴槽上に複数枚並べて載置される蓋板２ａ、２ｂで構成した風呂蓋において、各蓋板２ａ、２ｂの全外周部に他部よりも肉厚で蓋板２ａ、２ｂの表裏両面から突出する膨大縁部８を形成し、隣り合う蓋板２ａ、２ｂのうち、一方の蓋板２ａの外周端面に蓋板２ａの全周に亘る突部９を形成し、他方の蓋板２ｂの外周端面に前記突部９に嵌合可能な凹部１０を蓋板２ｂの全周に亘って形成して成ることを特徴とする。上記のように一方の蓋板２ａの外周端面に蓋板２ａの全周に亘る突部９を形成し、他方の蓋板２ｂの外周端面に蓋板２ｂの全周に亘る凹部１０を形成することで、各蓋板２ａ、２ｂを起立させる場合に、いずれの辺を下にしたとしても蓋板２ａ、２ｂの外周端面と床１１の上面との接触面積を小さくでき、この部分の乾燥を促進できる。また各蓋板２ａ、２ｂの全外周部を他部よりも肉厚となって蓋板２ａ、２ｂの表裏両面から突出する膨大縁部８としたので、蓋板２を複数枚重ね合わせた状態で起立させた場合には、各蓋板２の膨大縁部８の厚み方向の面同士を当接することができ、この蓋板２ａ、２ｂの対向面間に隙間１４を形成できて蓋板２ａ、２ｂを確実に乾燥できる。
【０００６】
また前記突部９の外面を蓋板２ａの外側に向かって突となる断面円弧状に形成すると共に、凹部１０の内面を蓋板２ｂの内側に向かって凹となる断面円弧状に形成し、突部９の断面円弧状の外面と凹部１０の断面円弧状の内面を嵌合可能とすることが好ましい。突部９の外面と凹部１０の内面を断面円弧状とすることで、突部９と凹部１０をぴったりと嵌合して浴槽を確実に保温でき、しかも突部９の外面を断面円弧状に形成したので突部９の外面と床１１の上面とを線接触させた状態で蓋板２ａを起立させることができ、より一層乾燥できる。
【発明の効果】
【０００７】
請求項１に係る発明では、各蓋板を起立させる場合に、いずれの辺を下にしたとしても蓋板の外周端面と床の上面との接触面積を小さくでき、この部分の乾燥を促進できる。また各蓋板の全外周部を他部よりも肉厚となって蓋板の表裏両面から突出する膨大縁部としたので、蓋板を複数枚重ね合わせた状態で起立させる場合等には、各蓋板の膨大縁部の厚み方向の面同士を当接することができ、重ね合わせられる蓋板の対向面間に隙間を形成して、この蓋板の対向面を確実に乾燥できる。
【０００８】
また請求項２に係る発明では、請求項１に係る発明の効果に加えて、突部と凹部をぴったりと嵌合して浴槽を確実に保温でき、しかも突部の外面を断面円弧状に形成したので突部の外面と床の上面とを線接触させた状態で蓋板を起立させることができ、より一層乾燥できる。
【発明を実施するための最良の形態】
【０００９】
以下、本発明を添付図面に示す実施形態に基づいて説明する。風呂蓋１は図２に示すように複数枚（図示例では２枚）の蓋板２ａ、２ｂで構成してある。各蓋板２ａ、２ｂは平面視長方形状に形成してあり、各蓋板２ａ、２ｂを短手方向に複数枚並べて浴槽上に載置して一つの風呂蓋１を構成する。
【００１０】
各蓋板２ａ、２ｂは、以下に示す長方形板状の蓋本体３と、蓋本体３の外周縁部の全周に亘る部分を被覆する縁カバー材４とで構成してある。
【００１１】
蓋本体３は硬質な合成樹脂等からなり、蓋本体３の内部には断熱性能を向上させるために図示しない真空断熱材を設けている。
【００１２】
縁カバー材４は蓋本体３よりも軟らかい合成樹脂等の軟質材で形成されている。図３に示すように縁カバー材４は蓋本体３の外周端面を覆う中央片部５と、中央片部５の両端部の夫々から同一方向に突出して蓋本体３の両面の夫々の周縁部を覆う側片部６、６とで構成してあり、両側片部６、６間に蓋本体３側に開口する嵌込溝７を形成した断面コ字状に形成してある。縁カバー材４はその嵌込溝７に蓋本体３の周縁部を嵌め込んで蓋本体３に一体に被着してある。このように蓋本体３に軟質材よりなる縁カバー材４を設けることで蓋本体３の外周縁部を保護し、また浴槽に蓋をする場合に隣り合う蓋板２の外周端面（即ち縁カバー材４の外側面）同士を突き合わせた状態でこの間を確実に密閉して浴槽を保温できる。
【００１３】
上記各蓋板２ａ、２ｂは既述のように蓋本体３に縁カバー材４を設けることで、各蓋板２ａ、２ｂの全外周縁部に他部よりも肉厚となってその厚み方向の両端部（即ち両側片部）が蓋板２ａ、２ｂの表裏両面から突出した膨大縁部８を形成してあり、つまり本例では蓋本体３の外周縁部と縁カバー材４により膨大縁部８を構成している。
【００１４】
上記浴槽上に並べて載置される隣り合う２枚の蓋板２ａ、２ｂのうち、一方の蓋板２ａの外周端面（即ち縁カバー材４の中央片部５の外面によって構成された膨大縁部８の外側面）の中央部には蓋板２ａの全周に亘る突部９を一体に形成してあり、また他方の蓋板２ｂの外周端面の中央部には前記突部９に嵌合可能な凹部１０を蓋板２ｂの全周に亘って形成してある。
【００１５】
突部９は断面略半円状に形成してあり、凹部１０との嵌合面となる外面は縁カバー材４の外側に向かって突となる断面円弧状に形成されている。また凹部１０も断面略半円状に形成してあり、突部９との嵌合面となる内面は縁カバー材４の内側に向かって凹となる断面円弧状に形成してあり、該凹部１０の内面の曲率半径は突部９の外面の曲率半径と略同じである。
【００１６】
上記各蓋板２ａ、２ｂにより浴槽の上開口部を閉塞するには、突部９を設けた蓋板２ａと凹部１０を設けた蓋板２ｂが隣り合うように浴槽上に載置し、この隣り合う蓋板２ａ、２ｂの端面同士を突き合わせ、一方の蓋板２ａの突部９と、他方の蓋板２ｂの凹部１０を凹凸嵌合させる。これにより突部９の断面円弧状の外面と凹部１０の断面円弧状の内面とがぴったりと接触し、この間が密閉された状態となり、このように浴槽上に載置された各蓋板２ａ、２ｂにより浴槽が保温される。
【００１７】
上記各蓋板２ａ、２ｂは例えば入浴後に浴室の壁に立て掛ける等して一辺を下にして接地面となる浴室の床１１の上面に立てられ、これにより蓋板２ａ、２ｂの乾燥がなされる。
【００１８】
ここで本発明の風呂蓋１にあっては、各蓋板２ａ、２ｂの外周端面（縁カバー材４の中央片部５の外面）に突部９又は凹部１０を周方向の全長に亘って形成したので、各蓋板２ａ、２ｂのいずれの辺を下にして浴室の床１１上に起立させたとしても、図２に示すように一方の蓋板２ａにあっては必ず外周端面に設けた突部９の先端が床１１の上面に接し、また他方の蓋板２ｂにあっては外周端面の凹部１０を形成していない上下両端部が必ず床１１の上面に接することとなる。そしてこの場合、一方の蓋板２ａにあってはその外周端面の突部９を形成していない上下両端部と床１１の上面との間に隙間１２が形成され、また他方の蓋板２ｂにあっても、その外周端面に形成した凹部１０の内面と床１１の上面との間に隙間１３が形成され、これにより各蓋板２ａ、２ｂの外周端面と床１１の上面との接触面積を小さくできる。即ち本発明にあっては各蓋板２ａ、２ｂを起立させるにあたっていずれの辺を下にしたとしても蓋板２ａ、２ｂの外周端面と床１１の上面との接触面積を小さくでき、この部分の乾燥を促進できる。また本例では突部９の外面を断面円弧状に形成したので突部９の外面と床１１の上面とを線接触させた状態で蓋板２ａを起立させることができ、より一層乾燥できる。
【００１９】
さらに本発明では各蓋板２ａ、２ｂの全外周部を他部よりも肉厚となって蓋板２ａ、２ｂの表裏両面から突出する膨大縁部８としたので、図１に示すように蓋板２ａ、２ｂを複数枚重ね合わせた状態で起立させる場合には、各蓋板２ａ、２ｂの膨大縁部８の厚み方向の端部同士を当接できる。従って重ね合わせられる両蓋板２ａ、２ｂの対向面間（即ち一方の蓋板２ａの膨大縁部８よりも内側部分とこれに対向する他方の蓋板２ｂの膨大縁部８よりも内側部分との間）に隙間１４を形成でき、この蓋板２ａ、２ｂの対向面を確実に乾燥できる。また本例の各蓋板２ａ、２ｂの縁カバー材４にあっては、中央片部５両側の外面側の角部と、各側片部６の先端外面側の角部の夫々を面取りしてあり、これにより上記膨大縁部８同士の接触面積を小さくして、この部分も確実に乾燥するようにしている。
【００２０】
なお上記実施形態では風呂蓋１を２枚の蓋板２ａ、２ｂで構成したが、３枚以上の蓋板で構成しても良く、即ち風呂蓋１は複数枚の蓋板で構成したものであれば良い。
【図面の簡単な説明】
【００２１】
【図１】本発明の実施の形態の一例の蓋板を２枚重ね合わせて起立させた状態を示す要部拡大断面図である。
【図２】同上の風呂蓋の斜視図である。
【図３】同上の蓋板の端面同士を突き合わせる直前の状態を示す断面図である。
【符号の説明】
【００２２】
１  風呂蓋
２ａ  蓋板
２ｂ  蓋板
９  突部
１０  凹部
【図１】
2008154882.tif 000003
【図２】
2008154882.tif 000004
【図３】
2008154882.tif 000005